(57)【要約】【課題】ＳＲＶＣＣを実現する際の問題点を解決する。【解決手段】第１通信状態と第２通信状態とを切り替えることができる移動通信システムにおいて、第１通信状態では、移動局ＵＥ＃１と移動局ＵＥ＃２との間で、ＶｏＩＰメディア信号が、ＬＴＥ方式の無線アクセスシステム及びノードＳ-ＧＷを介して送受信され、ＶｏＩＰ制御信号が、ＬＴＥ方式の無線アクセスシステムとノードＳ-ＧＷとＩＭＳとを介して送受信され、第２通信状態では、回線交換信号が、２Ｇ/３Ｇ方式の無線アクセスシステムを介して移動局ＵＥ＃１と拡張ＭＳＣ/ＭＧＷとの間で送受信され、ＶｏＩＰメディア信号が、ノードＳ-ＧＷを介して拡張ＭＳＣ/ＭＧＷと移動局ＵＥ＃２との間で送受信され、ＶｏＩＰ制御信号が、ノードＳ-ＧＷ及びＩＭＳを介して拡張ＭＳＣ/ＭＧＷと移動局ＵＥ＃２との間で送受信される。【選択図】図１
2011061858.tif 000002
【特許請求の範囲】
【請求項１】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備しており、第１通信状態と第２通信状態とを切り替えることができるように構成されている移動通信システムであって、
前記第１通信状態では、
第１移動局は、前記第１通信方式の無線アクセスシステムに在圏しており、第２移動局との間で音声通信を行うように構成されており、
前記第１移動局と前記第２移動局との間で、ＶｏＩＰメディア信号が、前記第１通信方式の無線アクセスシステムと前記移動伝達ネットワーク内の該第１移動局の在圏ネットワークに配置されているサービングゲートウェイ装置とを介して送受信されると共に、ＶｏＩＰ制御信号が、該第１通信方式の無線アクセスシステムと該サービングゲートウェイ装置と前記サービス制御ネットワークとを介して送受信されるように構成されており、
前記第２通信状態では、
前記第１移動局は、前記第２通信方式の無線アクセスシステムに在圏しており、前記第２移動局との間で音声通信を行うように構成されており、
回線交換信号が、前記第２通信方式の無線アクセスシステムを介して前記第１移動局と前記第２通信方式のコアネットワークに配置されているゲートウェイ装置との間で送受信され、ＶｏＩＰメディア信号が、前記サービングゲートウェイ装置を介して前記第２移動局と該ゲートウェイ装置との間で送受信され、ＶｏＩＰ制御信号が、前記サービングゲートウェイ装置及び前記サービス制御ネットワークを介して該ゲートウェイ装置と前記第２移動局との間で送受信されるように構成されており、
前記ゲートウェイ装置は、前記回線交換信号と、前記ＶｏＩＰメディア信号及び前記ＶｏＩＰ制御信号の組み合わせとを変換するように構成されていることを特徴とする移動通信システム。
【請求項２】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備しており、第１通信状態と第２通信状態とを切り替えることができるように構成されている移動通信システムであって、
前記第１通信状態では、
第１移動局は、前記第１通信方式の無線アクセスシステムに在圏しており、第２移動局との間で音声通信を行うように構成されており、
前記第１移動局と前記第２移動局との間で、ＶｏＩＰメディア信号が、前記第１通信方式の無線アクセスシステムと前記移動伝達ネットワーク内の該第１移動局の在圏ネット
ワークに配置されているサービングゲートウェイ装置とを介して送受信され、ＶｏＩＰ制御信号が、該第１通信方式の無線アクセスシステムと該サービングゲートウェイ装置と前記サービス制御ネットワークとを介して送受信されるように構成されており、
前記第２通信状態では、
前記第１移動局は、前記第２通信方式の無線アクセスシステムに在圏しており、前記第２移動局との間で音声通信を行うように構成されており、
回線交換信号が、前記第２通信方式の無線アクセスシステムを介して前記第１移動局と前記サービングゲートウェイ装置との間で送受信され、ＶｏＩＰメディア信号が、前記第２移動局と該サービングゲートウェイ装置との間で送受信され、ＶｏＩＰ制御信号が、該第２通信方式の無線アクセスシステムと該サービングゲートウェイ装置と前記サービス制御ネットワークとを介して該第１移動局と該第２移動局との間で送受信されるように構成されており、
前記サービングゲートウェイ装置は、前記回線交換信号と、前記ＶｏＩＰメディア信号とを変換するように構成されていることを特徴とする移動通信システム。
【請求項３】
前記第２通信状態において、前記ＶｏＩＰ制御信号は、前記第２通信方式の無線アクセスシステムと前記第２通信方式のコアネットワークに配置されているパケット交換局と前記サービングゲートウェイ装置と前記サービス制御ネットワークとを介して該第１移動局と該第２移動局との間で送受信されるように構成されていることを特徴とする請求項２に記載の移動通信システム。
【請求項４】
前記第２通信状態において、前記ゲートウェイ装置とＩＭＳ内の前記第１移動局のホームネットワークに配置されている所定ノードとの間で、ＩＭＳに係る情報を含むＶｏＩＰ制御信号が送受信されるように構成されていることを特徴とする請求項１に記載の移動通信システム。
【発明の詳細な説明】
【技術分野】
【０００１】
本発明は、移動通信システムに関する。
【背景技術】
【０００２】
従来、２Ｇ/３Ｇ方式の無線アクセスシステム及びＬＴＥ（Ｌｏｎｇ  Ｔｅｒｍ  Ｅｖｏｌｕｔｉｏｎ）方式の無線アクセスシステムを収容可能な移動通信システムが知られている。
【０００３】
図２５及び図２６を参照して、かかる移動通信システムにおいて、移動局ＵＥ＃１が移動局ＵＥ＃２との間でＬＴＥ方式の無線アクセスシステムを介して音声通信（ＶｏＩＰ通信）を行う状態（第１通信状態）を、移動局ＵＥ＃１が移動局ＵＥ＃２との間で２Ｇ/３Ｇ方式の無線アクセスシステムを介して音声通信（回線交換通信）を行う状態（第２通信状態）に切り替える動作について、すなわち、非特許文献１に定義されている「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」を実現するための動作について説明する。
【０００４】
図２５におけるステップ１において、ＬＴＥ方式の無線アクセスシステム（Ｓｏｕｒｃｅ  Ｅ-ＵＴＲＡＮ）が、ノードＭＭＥ（Ｍｏｂｉｌｉｔｙ  Ｍａｎａｇｅｍｅｎｔ  Ｅｎｔｉｔｙ、Ｓｏｕｒｃｅ  ＭＭＥ）を介して、拡張ＭＳＣ/ＭＧＷ（Ｅｎｈａｎｃｅｄ  ＭＳＣ  Ｓｅｒｖｅｒ  Ｍｅｄｉａ  Ｇａｔｅｗａｙ  ｆｏｒ  ＳＲＶＣＣ）に対して、移動局ＵＥ＃１の音声通信についての切り替え準備指示を送信する（図２６におけるステップ３乃至５ａ）。
【０００５】
図２５におけるステップ２において、拡張ＭＳＣ/ＭＧＷは、交換局ＭＳＣ（Ｍｏｂｉｌｅ-ｓｅｒｖｉｃｅ  Ｓｗｉｔｃｈｉｎｇ  Ｃｅｎｔｅｒ、Ｔａｒｇｅｔ  ＭＳＣ）及び２Ｇ/３Ｇ方式の無線アクセスシステム（Ｔａｒｇｅｔ  ＲＮＣ/ＢＳＳ）に対して、回線交換通信用リソース準備指示を送信することによって、拡張ＭＳＣ/ＭＧＷと切り替え先の２Ｇ/３Ｇ方式の無線アクセスシステムとの間の区間における移動局ＵＥ＃１用の音声通信（回線交換通信）用リソースを準備する（図２６におけるステップ５ｂ、５ｃ、８ａ、８ｂ、８ｃ）。
【０００６】
図２５におけるステップ３ａにおいて、拡張ＭＳＣ/ＭＧＷは、ＩＭＳ（ＩＰ  Ｍｕｌｔｉｍｅｄｉａ  Ｓｕｂｓｙｓｔｅｍ）内の移動局ＵＥ＃１のホームネットワークに配置されているノードＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）に対して、ＶｏＩＰメディア信号及びＶｏＩＰ制御信号の経路の切り替え要求を送信し（図２６におけるステップ９）、ノードＳＣＣ  ＡＳは、移動局ＵＥ＃２に対して、ＶｏＩＰメディア信号の経路の切り替え要求を送信する。
【０００７】
また、図２５におけるステップ３ｂにおいて、拡張ＭＳＣ/ＭＧＷは、ＬＴＥ方式の無線アクセスシステムに対して、上述の切り替えの準備が整ったことを通知することで、移動局ＵＥ＃１に対して、ＬＴＥ方式の無線アクセスシステムから２Ｇ/３Ｇ方式の無線アクセスシステムへの切り替え指示を送信する（図２６におけるステップ１２乃至１４）。
【０００８】
この結果、ＶｏＩＰメディア信号は、ＬＴＥ方式の無線アクセスシステムとノードＳＧＷ（Ｓｅｒｖｉｎｇ-Ｇａｔｅｗａｙ）とノードＰ-ＧＷ（ＰＤＮ-Ｇａｔｅｗａｙ）とを介して移動局ＵＥ＃１と移動局ＵＥ＃２との間で送受信される状態（第１通信状態）から、拡張ＭＳＣ/ＭＧＷと移動局ＵＥ＃２との間で送受信される状態（第２通信状態）に切り替わる。
【０００９】
また、ＶｏＩＰ制御信号（ＳＩＰ信号）は、ＬＴＥ方式の無線アクセスシステムとノードＳ-ＧＷとノードＰ-ＧＷとＩＭＳとを介して移動局ＵＥ＃１と移動局ＵＥ＃２との間で送受信される状態（第１通信状態）から、ＩＭＳを介して拡張ＭＳＣ/ＭＧＷと移動局ＵＥ＃２との間で送受信される状態（第２通信状態）に切り替わる。
【００１０】
そして、移動局ＵＥ＃１と拡張ＭＳＣ/ＭＧＷとの間では、２Ｇ/３Ｇ方式の無線アクセスシステムを介して、回線交換データ及び制御信号を含む回線交換通信における信号（以下、「回線交換信号」とする）が送受信されるようになる。ここで、拡張ＭＳＣ/ＭＧＷが、回線交換信号と、ＶｏＩＰメディア信号及びＶｏＩＰ制御信号の組み合わせとを変換するように構成されている。
【００１１】
なお、上述のＶｏＩＰメディア信号及びＶｏＩＰ制御信号以外のＵプレーンデータ（以下、「パケット信号」とする）は、ＬＴＥ方式の無線アクセスシステムとノードＳ-ＧＷとノードＰ-ＧＷとを介して移動局ＵＥ＃１とパケット通信ネットワークとの間で送受信される状態（第１通信状態）から、２Ｇ/３Ｇ方式の無線アクセスシステムとノードＳ-ＧＷとノードＰ-ＧＷとを介して移動局ＵＥ＃１とパケット通信ネットワークとの間で送受信される状態（第２通信状態）に切り替わる。
【先行技術文献】
【非特許文献】
【００１２】
【非特許文献１】３ＧＰＰ  ＴＳ２３.２１６、Ｖ９.０.０
【発明の概要】
【発明が解決しようとする課題】
【００１３】
しかしながら、上述の移動通信システムでは、第１通信状態から第２通信状態への切り替えにおいて、移動局ＵＥ＃１の通信相手である移動局ＵＥ＃２に対して経路の切り替えを依頼して、移動局ＵＥ＃２において経路の切り替えを行うため、移動局ＵＥ＃１と移動局ＵＥ＃２とが異なるネットワークに在圏している場合、切り替えに要する時間が長くなってしまうという問題点があった。
【００１４】
また、上述の切り替えにおいて、移動局ＵＥ＃１における経路の切り替え処理と移動局ＵＥ＃２における経路の切り替え処理とが並行して行われるため、移動局ＵＥ＃１における経路の切り替え処理が先に完了しても、移動局ＵＥ＃２における経路の切り替え処理が完了するまで、移動局ＵＥ＃１と移動局ＵＥ＃２との間で音声通信ができない状態（図２６におけるステップ９乃至１６）が発生し、ハンドオーバ遅延が引き起こされてしまうという問題点があった。
【００１５】
また、上述の移動通信システムでは、移動局ＵＥ＃１がローミングしている場合には、移動局ＵＥ＃１のホームネットワークに位置するＩＭＳと移動局ＵＥ＃１の在圏ネットワークに位置する回線交換ドメイン（２Ｇ/３Ｇ方式のコアネットワーク及び無線アクセスシステム）とが連携して、上述の切り替えを行う必要があるため、移動局ＵＥ＃１のホームネットワーク及び移動局ＵＥ＃１の在圏ネットワークの双方で、オプション機能であるＳＲＶＣＣサポート能力を装備している必要があり、また、相互試験や契約締結等の複雑な手続きを行う必要があるという問題点があった。
【００１６】
さらに、上述の移動通信システムでは、上述の第２通信状態から第１通信状態への切り替えを行うことができないという問題点があった。
【００１７】
そこで、本発明は、上述の課題に鑑みてなされたものであり、移動局ＵＥ＃１の在圏ネットワークに閉じて、第１通信状態と第２通信状態とを切り替えても音声通信の継続が可能なＳＲＶＣＣを実現し、従来の移動通信システムの問題点を解決可能な移動通信システムを提供することを目的とする。
【課題を解決するための手段】
【００１８】
本発明の第１の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備しており、第１通信状態と第２通信状態とを切り替えることができるように構成されている移動通信システムであって、前記第１通信状態では、第１移動局は、前記第１通信方式の無線アクセスシステムに在圏しており、第２移動局との間で音声通信を行うように構成されており、前記第１移動局と前記第２移動局との間で、ＶｏＩＰメディア信号が、前記第１通信方式の無線アクセスシステムと前記移動伝達ネットワーク内の該第１移動局の在圏ネットワークに配置されているサービングゲートウェイ装置とを介して送受信されると共に、ＶｏＩＰ制御信号が、該第１通信方式の無線アクセスシステムと該サービングゲートウェイ装置と前記サービス制御ネットワークとを介して送受信されるように構成されており、前記第２通信状態では、前記第１移動局は、前記第２通信方式の無線アクセスシステムに在圏しており、前記第２移動局との間で音声通信を行うように構成されており、回線交換信号が、前記第２通信方式の無線アクセスシステムを介して前記第１移動局と前記第２通信方式のコアネットワークに配置されているゲートウェイ装置との間で送受信され、ＶｏＩＰメディア信号が、前記サービングゲートウェイ装置を介して前記第２移動局と該ゲートウェイ装置との間で送受信され、ＶｏＩＰ制御信号が、前記サービングゲートウェイ装置及び前記サービス制御ネットワークを介して該ゲートウェイ装置と前記第２移動局との間で送受信されるように構成されており、前記ゲートウェイ装置は、前記回線交換信号と、前記ＶｏＩＰメディア信号及び前記ＶｏＩＰ制御信号の組み合わせとを変換するように構成されていることを要旨とする。
【００１９】
本発明の第２の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークと、サービス制御ネットワークとを具備しており、第１通信状態と第２通信状態とを切り替えることができるように構成されている移動通信システムであって、前記第１通信状態では、第１移動局は、前記第１通信方式の無線アクセスシステムに在圏しており、第２移動局との間で音声通信を行うように構成されており、前記第１移動局と前記第２移動局との間で、ＶｏＩＰメディア信号が、前記第１通信方式の無線アクセスシステムと前記移動伝達ネットワーク内の該第１移動局の在圏ネットワークに配置されているサービングゲートウェイ装置とを介して送受信され、ＶｏＩＰ制御信号が、該第１通信方式の無線アクセスシステムと該サービングゲートウェイ装置と前記サービス制御ネットワークとを介して送受信されるように構成されており、前記第２通信状態では、前記第１移動局は、前記第２通信方式の無線アクセスシステムに在圏しており、前記第２移動局との間で音声通信を行うように構成されており、回線交換信号が、前記第２通信方式の無線アクセスシステムを介して前記第１移動局と前記サービングゲートウェイ装置との間で送受信され、ＶｏＩＰメディア信号が、前記第２移動局と該サービングゲートウェイ装置との間で送受信され、ＶｏＩＰ制御信号が、該第２通信方式の無線アクセスシステムと該サービングゲートウェイ装置と前記サービス制御ネットワークとを介して該第１移動局と該第２移動局との間で送受信されるように構成されており、前記サービングゲートウェイ装置は、前記回線交換信号と、前
記ＶｏＩＰメディア信号とを変換するように構成されていることを要旨とする。
【発明の効果】
【００２０】
以上説明したように、本発明によれば、移動局ＵＥ＃１の在圏ネットワークに閉じて、第１通信状態と第２通信状態とを切り替えても音声通信の継続が可能なＳＲＶＣＣを実現し、従来の移動通信システムの問題点を解決可能な移動通信システムを提供することができる。
【図面の簡単な説明】
【００２１】
【図１】本発明の第１の実施形態に係る移動通信システムの全体構成図である。
【図２】本発明の第１の実施形態に係る移動通信システムの動作を示すシーケンス図    である。
【図３】本発明の第１の実施形態に係る移動通信システムの動作を示すシーケンス図    である。
【図４】本発明の第１の実施形態に係る移動通信システムにおけるＡｔｔａｃｈ時又    は位置登録時の動作を示す図である。
【図５】本発明の第１の実施形態に係るＭＭＥの動作を示すフローチャートである。
【図６】本発明の第１の実施形態に係る拡張ＭＳＣ/ＭＧＷの動作を示すフローチャ    ートである。
【図７】本発明の第１の実施形態に係るＳＧＷの動作を示すフローチャートである。
【図８】本発明の第１の実施形態に係るＳＧＷの動作を示すフローチャートである。
【図９】本発明の第１の実施形態に係る移動通信システムの動作を示すシーケンス図    である。
【図１０】本発明の第１の実施形態に係る移動通信システムの動作を示すシーケンス    図である。
【図１１】本発明の変更例１に係る移動通信システムの全体構成図である。
【図１２】本発明の変更例１に係る移動通信システムの動作を示すシーケンス図である。
【図１３】本発明の変更例１に係る移動通信システムの動作を示すシーケンス図である。
【図１４】本発明の変更例１に係るＭＭＥの動作を示すフローチャートである。
【図１５】本発明の変更例１に係るＭＭＥの動作を示すフローチャートである。
【図１６】本発明の変更例１に係るＳＧＳＮの動作を示すフローチャートである。
【図１７】本発明の変更例１に係るＳＧＷの動作を示すフローチャートである。
【図１８】本発明の変更例１に係るＳＧＷの動作を示すフローチャートである。
【図１９】本発明の変更例１に係るＳＧＷの動作を示すフローチャートである。
【図２０】本発明の変更例１に係る移動通信システムの動作を示すシーケンス図である。
【図２１】本発明の変更例１に係る移動通信システムの動作を示すシーケンス図である。
【図２２】本発明の変更例２に係る移動通信システムの全体構成図である。
【図２３】本発明の変更例３に係る移動通信システムの全体構成図である。
【図２４】本発明の変更例３に係る移動通信システムの動作を示すシーケンス図である。
【図２５】従来の移動通信システムの全体構成図である。
【図２６】従来の移動通信システムの動作を示すシーケンス図である。
【発明を実施するための形態】
【００２２】
（本発明の第１の実施形態に係る移動通信システム）
図１乃至図１０を参照して、本発明の第１の実施形態に係る移動通信システムについて説明する。
【００２３】
図１に示すように、本実施形態に係る移動通信システムは、ＬＴＥ方式の無線アクセスシステムと、２Ｇ/３Ｇ方式の無線アクセスシステムと、移動伝達ネットワークと、２Ｇ/３Ｇ方式のコアネットワークと、サービス制御ネットワークと、パケット通信ネットワークとを具備している。
【００２４】
ＬＴＥ方式の無線アクセスシステムには、無線基地局ｅＮｏｄｅＢ（不図示）が配置されており、２Ｇ/３Ｇ方式の無線アクセスシステムには、無線基地局ＮｏｄｅＢ（ＢＳＳ）（不図示）及び無線回線制御局ＲＮＣ（不図示）が配置されている。
【００２５】
移動伝達ネットワークには、ノードＭＭＥと、ノードＳ-ＧＷ（サービングゲートウェイ装置）と、ノードＰ-ＧＷとが配置されている。ここで、ノードＭＭＥ及びノードＳ-ＧＷは、移動局ＵＥ＃１の在圏ネットワークに配置されており、ノードＰ-ＧＷは、移動局ＵＥ＃１のホームネットワークに配置されている。
【００２６】
２Ｇ/３Ｇ方式のコアネットワークには、ノードＭＳＣ（回線交換局）やノードＳＧＳＮ（パケット交換局）や拡張ＭＳＣ/ＭＧＷ（ゲートウェイノード）が配置されている。
ここで、ノードＭＳＣ、ノードＳＧＳＮ及び拡張ＭＳＣ/ＭＧＷは、移動局ＵＥ＃１の在圏ネットワークに配置されている。
【００２７】
ＩＭＳには、ノードＰ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）と、ノードＳ-ＣＳＣＦ（Ｓｅｒｖｉｎｇ-Ｃａｌｌ  Ｓｅｓｓｉｏｎ  Ｃｏｎｔｒｏｌ  Ｆｕｎｃｔｉｏｎ）と、ノードＳ/Ｐ-ＣＳＣＦと、ノードＳＣＣ  ＡＳとが配置されている。
【００２８】
本実施形態に係る移動通信システムでは、移動局ＵＥ＃１に係るＵプレーンデータとして、ＶｏＩＰメディア信号とＶｏＩＰ制御信号とパケット信号とが送受信されている。
【００２９】
本実施形態に係る移動通信システムは、移動局ＵＥ＃１が移動局ＵＥ＃２との間でＬＴＥ方式の無線アクセスシステムを介して音声通信（ＶｏＩＰ通信）を行う状態（第１通信状態）と、移動局ＵＥ＃１が移動局ＵＥ＃２との間で２Ｇ/３Ｇ方式の無線アクセスシステム及び拡張ＭＳＣ/ＭＧＷを介して音声通信（回線交換通信）を行う状態（第２通信状態）との間で切り替えることができる、すなわち、ＳＲＶＣＣを実現できるように構成されている。
【００３０】
第１通信状態では、移動局ＵＥ＃１（第１移動局）は、ＬＴＥ方式の無線アクセスシス
テムに在圏しており、移動局ＵＥ＃２（第２移動局）との間で音声通信を行うように構成
されている。
【００３１】
また、第１通信状態では、移動局ＵＥ＃１と移動局ＵＥ＃２との間で、ＶｏＩＰメディア信号が、ＬＴＥ方式の無線アクセスシステムとノードＳ-ＧＷとノードＰ-ＧＷとを介して送受信され、ＶｏＩＰ制御信号が、ＬＴＥ方式の無線アクセスシステムとノードＳ-ＧＷとノードＰ-ＧＷとＩＭＳとを介して送受信されるように構成されている。
【００３２】
さらに、第１通信状態では、パケット信号が、移動局ＵＥ＃１とパケット通信ネットワークとの間で、ＬＴＥ方式の無線アクセスシステムとノードＳ-ＧＷとノードＰ-ＧＷとを介して送受信されるように構成されている。
【００３３】
一方、第２通信状態では、移動局ＵＥ＃１は、２Ｇ/３Ｇ方式の無線アクセスシステムに在圏しており、移動局ＵＥ＃２との間で音声通信を行うように構成されている。
【００３４】
また、第２通信状態では、２Ｇ/３Ｇ方式の回線交換信号が、２Ｇ/３Ｇ方式の無線アクセスシステムを介して移動局ＵＥ＃１と拡張ＭＳＣ/ＭＧＷとの間で送受信され、ＶｏＩＰメディア信号が、ノードＳ-ＧＷとノードＰ-ＧＷとを介して拡張ＭＳＣ/ＭＧＷと移動局ＵＥ＃２との間で送受信され、ＶｏＩＰ制御信号が、ノードＳ-ＧＷとノードＰ-ＧＷとＩＭＳとを介して拡張ＭＳＣ/ＭＧＷと移動局ＵＥ＃２との間で送受信されるように構成されている。
【００３５】
さらに、第２通信状態では、パケット信号が、移動局ＵＥ＃１とパケット通信ネットワークとの間で、２Ｇ/３Ｇ方式の無線アクセスシステムとノードＳＧＳＮとノードＳ-ＧＷとノードＰ-ＧＷとを介して送受信されるように構成されている。
【００３６】
なお、拡張ＭＳＣ/ＭＧＷは、２Ｇ/３Ｇ方式の回線交換信号（音声フォーマット及び制御信号の組み合わせ）と、ＶｏＩＰメディア信号及びＶｏＩＰ制御信号の組み合わせとを変換するように構成されている。
【００３７】
図２及び図３を参照して、本発明の第１の実施形態に係る移動通信システムの動作について、具体的には、本発明の第１の実施形態に係る移動通信システムにおいて、第１通信状態から第２通信状態に切り替わる場合の動作について説明する。
【００３８】
図２に示すように、ステップＳ１０００において、第１通信状態であるため、ＶｏＩＰメディア信号とＶｏＩＰ制御信号とパケット信号とを含むＵプレーンデータは、無線基地局ｅＮｏｄｅＢ及びノードＳ-ＧＷを介して移動局ＵＥ＃１とノードＰ-ＧＷとの間で送受信されている。
【００３９】
ステップＳ１００１において、移動局ＵＥ＃１と無線基地局ｅＮｏｄｅＢとの間で、移動局ＵＥ＃１のＬＴＥ方式の無線アクセスシステムから２Ｇ/３Ｇ方式の無線アクセスシステムへのハンドオーバ処理が開始されると、ステップＳ１００２において、無線基地局ｅＮｏｄｅＢは、ノードＭＭＥに対して、「Ｈａｎｄｏｖｅｒ  Ｒｅｑｕｉｒｅｄ」を送信する。
【００４０】
ステップＳ１００３において、ノードＭＭＥは、移動局ＵＥが、ＳＲＶＣＣ対応能力を具備しているか否かについて、及び、ノードＳ-ＧＷが、所定能力（本発明対応能力）を具備しているか否かについて判定する。
【００４１】
ここで、所定能力とは、「所定トリガを検出した際に、後述するＢｉ-ｃａｓｔｉｎｇを開始する能力」や、「切り替え先の無線アクセスシステムを介して上りＵプレーンデータを受信した際に、Ｂｉ-ｃａｓｔｉｎｇを開始する能力」等が含まれる。
【００４２】
ノードＭＭＥは、移動局ＵＥがＳＲＶＣＣ対応能力を具備しており、ノードＳ-ＧＷが所定能力を具備していると判定した場合、ステップＳ１００４において、ノードＳＧＳＮに対して、ノードＳ-ＧＷのＩＰアドレス及びＴＥＩＤ（Ｔｕｎｎｅｌ  ＥｎｄｐｏｉｎｔＩｄｅｎｔｉｆｉｅｒ）を含む「Ｆｏｒｗａｒｄ  Ｒｅｌｏｃａｔｉｏｎ  Ｒｅｑｕｅｓｔ」を送信する。
【００４３】
ステップＳ１００５において、ノードＳＧＳＮは、無線回線制御局ＲＮＣに対して、ノードＳ-ＧＷのＩＰアドレス及びＴＥＩＤを含む「Ｒｅｌｏｃａｔｉｏｎ  Ｒｅｑｕｅｓｔ」を送信し、ステップＳ１００６において、無線回線制御局ＲＮＣは、ノードＳＧＳＮに対して、「Ｒｅｌｏｃａｔｉｏｎ  Ｒｅｑｕｅｓｔ  Ａｃｋｎｏｗｌｅｄｇｅ」を送信する。
【００４４】
ステップＳ１００７において、ノードＳＧＳＮは、ノードＭＭＥに対して、ノードＳＧＷ宛ての「Ｆｏｒｗａｒｄ  Ｒｅｌｏｃａｔｉｏｎ  Ｒｅｓｐｏｎｓｅ」を送信する。
【００４５】
かかるステップＳ１００４乃至Ｓ１００７の動作は、パケット信号についてのハンドオーバ処理に係る動作である。すなわち、移動局ＵＥ＃１に係るパケット信号についてのハンドオーバ処理（切り替え処理）は、ノードＳＧＳＮ経由で実施される。
【００４６】
ステップＳ１００８において、ノードＭＭＥは、拡張ＭＳＣ/ＭＧＷに対して、ノードＳ-ＧＷのＩＰアドレス及びＴＥＩＤを含む「ＰＳ  ｔｏ  ＣＳ  Ｒｅｑｕｅｓｔ」を送信し、ステップＳ１００９において、拡張ＭＳＣ/ＭＧＷは、無線回線制御局ＲＮＣに対して、拡張ＭＳＣ/ＭＧＷのＩＰアドレス及びＴＥＩＤを含む「Ｒｅｌ/ＨＯ  Ｒｅｑｕｅｓｔ」を送信し、ステップＳ１０１０において、無線回線制御局ＲＮＣは、拡張ＭＳＣ/ＭＧＷに対して、「Ｒｅｌ/ＨＯ  Ａｃｋ」を送信する。
【００４７】
拡張ＭＳＣ/ＭＧＷは、ステップＳ１０１１において、移動局ＵＥ＃１用のＶｏＩＰメディア信号及びＶｏＩＰ制御信号の転送に用いられるベアラ（ＶｏＩＰ通信用ベアラ）を特定するための拡張ＭＳＣ/ＭＧＷ側のＩＰアドレス及びＴＥＩＤを割り当て、ステップＳ１０１２において、ノードＭＭＥに対して、割り当てた拡張ＭＳＣ/ＭＧＷ側のＩＰアドレス及びＴＥＩＤを含むベアラ情報を含む「ＰＳ  ｔｏ  ＣＳ  Ｒｅｓｐｏｎｓｅ」を送信する。
【００４８】
ステップＳ１０１３において、ノードＭＭＥは、ノードＳ-ＧＷに対して、上述のベアラ情報を設定するための「Ｍｏｄｉｆｙ  Ｂｅａｒｅｒ  Ｒｅｑｕｅｓｔ」を送信し、ステップＳ１０１４において、ノードＳ-ＧＷは、ノードＭＭＥに対して、「Ｍｏｄｉｆｙ  Ｂｅａｒｅｒ  Ｒｅｓｐｏｎｓｅ」を送信する。
【００４９】
なお、ステップＳ１０１３において、「Ｍｏｄｉｆｙ  Ｂｅａｒｅｒ  Ｒｅｑｕｅｓｔ」は、拡張ＭＳＣ/ＭＧＷからノードＳ-ＧＷに送信され、ステップＳ１０１４において、「Ｍｏｄｉｆｙ  Ｂｅａｒｅｒ  Ｒｅｓｐｏｎｓｅ」は、ノードＳ-ＧＷから拡張ＭＳＣ/ＭＧＷに送信されてもよい。
【００５０】
ステップＳ１０１５において、ノードＳ-ＧＷは、下り方向のＶｏＩＰメディア信号及びＶｏＩＰ制御信号について、無線基地局ｅＮｏｄｅＢ宛てに送信すると共に、拡張ＭＳＣ/ＭＧＷ及びノードＭＳＣを介して無線回線制御局ＲＮＣ宛てに送信すること（すなわち、「Ｂｉ-ｃａｓｔｉｎｇ」）を開始する。
【００５１】
ノードＭＭＥは、ステップＳ１０２１において、ＶｏＩＰベアラ信号及びＶｏＩＰ制御信号については、ノードＳＧＳＮへの転送の対象外とし、ステップＳ１０２２において、無線基地局ｅＮｏｄｅＢに対して、「Ｈａｎｄｏｖｅｒ  Ｃｏｍｍａｎｄ」を送信する。
【００５２】
無線基地局ｅＮｏｄｅＢは、ステップＳ１０２４において、移動局ＵＥ＃１に対して、「ＨＯ  ｆｒｏｍ  Ｅ-ＵＴＲＡＮ  Ｃｏｍｍａｎｄ」を送信する。
【００５３】
ステップＳ１０２５において、移動局ＵＥ＃１と無線回線制御局ＲＮＣとの間で無線アクセスリンクを確立する手順が行われ、ステップＳ１０２６において、移動局ＵＥ＃１は、無線回線制御局ＲＮＣに対して、「Ｈａｎｄｏｖｅｒ  ｔｏ  ＵＴＲＡＮ  Ｃｏｍｐｌｅｔｅ」を送信し、ステップＳ１０２７において、移動局ＵＥ＃１において無線回線制御局ＲＮＣに対する上り方向のＵプレーンデータの送信が可能となる。
【００５４】
図３に示すように、無線基地局ｅＮｏｄｅＢは、ステップＳ１０２８において、下り方向のＵプレーンデータを受信すると、「Ｄｉｒｅｃｔ  Ｆｏｒｗａｒｄｉｎｇ」が適用されていると、かかる下り方向のＵプレーンデータを、無線回線制御局ＲＮＣに対して転送する。
【００５５】
一方、無線基地局ｅＮｏｄｅＢは、ステップＳ１０２８において、下り方向のＵプレーンデータを受信すると、「Ｉｎｄｉｒｅｃｔ  Ｆｏｒｗａｒｄｉｎｇ」が適用されていると、かかる下り方向のＵプレーンデータを、ノードＳ-ＧＷを経由して無線回線制御局ＲＮＣに対して転送する。ここで、「Ｄｉｒｅｃｔ  Ｔｕｎｎｅｌ」が用いられていない場合には、無線基地局ｅＮｏｄｅＢは、ノードＳ-ＧＷからノードＳＧＳＮを介して無線回線制御局ＲＮＣに対して転送する。
【００５６】
ステップＳ１０２８１において、無線回線制御局ＲＮＣは、拡張ＭＳＣ/ＭＧＷに対して、「Ｒｅｌｏｃ/ＨＯ  Ｃｏｍｐｌｅｔｅ」を送信し、ステップＳ１０２８２において、ノードＭＭＥと拡張ＭＳＣ/ＭＧＷとの間で「ＰＳ  ｔｏ  ＣＳ  Ｃｏｍｐｌｅｔｅ/Ａｃｋ」が送受信される。
【００５７】
ステップＳ１０２８３において、ＶｏＩＰメディア信号及びＶｏＩＰ制御信号が、ノードＳ-ＧＷを介してノードＰ-ＧＷと拡張ＭＳＣ/ＭＧＷとの間で送受信され、回線交換信号が、無線回線制御局ＲＮＣを介して移動局ＵＥ＃１と拡張ＭＳＣ/ＭＧＷとの間で送受信されるように切り替えられる。ここで、拡張ＭＳＣ/ＭＧＷが、回線交換信号とＶｏＩＰメディア信号及びＶｏＩＰ制御信号との組み合わせとの間でコーデック変換（ＲＴＰ／ＡＭＲ-ｌｕ-ＵＰ/ＡＭＲ）を行う。
【００５８】
なお、ノードＳ-ＧＷは、上り方向のＶｏＩＰメディア信号又はＶｏＩＰ制御信号を受信した場合に、上述のＢｉ-ｃａｓｔｉｎｇを停止する、すなわち、無線基地局ｅＮＢ向けのＶｏＩＰメディア信号又はＶｏＩＰ制御信号の転送を停止する。
【００５９】
ステップＳ１０２９において、無線回線制御局ＲＮＣは、ノードＳＧＳＮに対して、「Ｒｅｌｏｃａｔｉｏｎ  Ｃｏｍｐｌｅｔｅ」を送信する。
【００６０】
ステップＳ１０３０において、ノードＳＧＳＮは、ノードＭＭＥに対して、「Ｆｏｒｗａｒｄ  Ｒｅｌｏｃａｔｉｏｎ  Ｃｏｍｐｌｅｔｅ」を送信し、ステップＳ１０３１において、ノードＭＭＥは、ノードＳＧＳＮに対して、「Ｆｏｒｗａｒｄ  Ｒｅｌｏｃａｔｉｏｎ  Ｃｏｍｐｌｅｔｅ  Ａｃｋｎｏｗｌｅｄｇｅ」を送信する。
【００６１】
ステップＳ１０３２において、ノードＭＭＥは、ノードＳ-ＧＷに対して、「Ｍｏｄｉｆｙ  Ｂｅａｒｅｒ  Ｒｅｑｕｅｓｔ」を送信する。ここで、ノードＳ-ＧＷは、受信した「Ｍｏｄｉｆｙ  Ｂｅａｒｅｒ  Ｒｅｑｕｅｓｔ」に応じて、ベアラ情報を変更して、ＶｏＩＰメディア信号及びＶｏＩＰ制御信号と、パケット信号とを分離して転送先を変更する。
【００６２】
ステップＳ１０３３において、ノードＳ-ＧＷは、ノードＰ-ＧＷに対して、「Ｍｏｄｉｆｙ  Ｂｅａｒｅｒ  Ｒｅｑｕｅｓｔ」を送信し、ステップＳ１０３４において、ノードＰ-ＧＷは、ノードＳ-ＧＷに対して、「Ｍｏｄｉｆｙ  Ｂｅａｒｅｒ  Ｒｅｓｐｏｎｓｅ」を送信する。
【００６３】
ステップＳ１０３５において、ノードＳ-ＧＷは、ノードＭＭＥに対して、「Ｍｏｄｉｆｙ  Ｂｅａｒｅｒ  Ｒｅｓｐｏｎｓｅ」を送信する。
【００６４】
ステップＳ１０３６において、パケット信号が、ノードＰ-ＧＷと移動局ＵＥ＃１との間で、ノードＳ-ＧＷとノードＳＧＳＮと無線回線制御局ＲＮＣとを介して送受信されるように切り替えられる。
【００６５】
ステップＳ１０３７において、移動局ＵＥ＃１とノードＭＭＥとの間で、第１通信状態で用いられていたパケット通信用ベアラの開放制御が行われる。
【００６６】
次に、図４を参照して、本発明の第１の実施形態に係る移動通信システムにおけるＡｔｔａｃｈ時又は位置登録時の動作について説明する。
【００６７】
図４に示すように、ステップＳ１０１において、移動局ＵＥ＃１が、ノードＭＭＥに対して、ＳＲＶＣＣ対応能力の有無を示す情報を含む「Ａｔｔａｃｈ  Ｒｅｑｕｅｓｔ」又は「Ｔｒａｃｋｉｎｇ  Ａｒｅａ  Ｕｐｄａｔｅ  Ｒｅｑｕｅｓｔ」を送信すると、ステップＳ１０２において、ノードＭＭＥが、受信した「Ａｔｔａｃｈ  Ｒｅｑｕｅｓｔ」又は「Ｔｒａｃｋｉｎｇ  Ａｒｅａ  Ｕｐｄａｔｅ  Ｒｅｑｕｅｓｔ」に基づいて、移動局ＵＥ＃１がＳＲＶＣＣ対応能力を具備しているか否かについて判定する。
【００６８】
ノードＭＭＥは、移動局ＵＥ＃１がＳＲＶＣＣ対応能力を具備していると判定した場合、ステップＳ１０３において、上述の所定能力を具備するノードＳ-ＧＷを選択し、かかるノードＳ-ＧＷに対して、移動局ＵＥ用のベアラを設定するように指示する。
【００６９】
ステップＳ１０４において、ノードＭＭＥは、移動局ＵＥ＃１に対して、「Ａｔｔａｃｈ  Ａｃｃｅｐｔ」又は「Ｔｒａｃｋｉｎｇ  Ａｒｅａ  Ｕｐｄａｔｅ  Ａｃｃｅｐｔ」を送信する。
【００７０】
次に、図５を参照して、本実施形態に係るノードＭＭＥの動作について説明する。
【００７１】
図５に示すように、ノードＭＭＥは、ステップＳ１１１において、Ｅ-ＵＴＲＡＮから「Ｈａｎｄｏｖｅｒ  Ｒｅｑｕｉｒｅｄ」を受信すると、ステップＳ１１２において、ＱＣＩ（ＱｏＳ  Ｃｌａｓｓ  Ｉｄｅｎｔｉｆｉｅｒ）等を参照して、ＶｏＩＰベアラ信号用ベアラが設定されているか否かについて判定する。
【００７２】
ノードＭＭＥは、ＶｏＩＰベアラ信号用ベアラが設定されていないと判定した場合、ステップＳ１１３において、ＳＲＶＣＣ処理とは関係ない通常のパケット通信に係るハンドオーバ処理を行う。
【００７３】
ノードＭＭＥは、ＶｏＩＰベアラ信号用ベアラが設定されていると判定した場合、ステップＳ１１４において、ノードＳ-ＧＷが、本発明に対応しているか否かについて、すなわち、所定能力（本発明対応能力）を具備しているか否かについて判定する。
【００７４】
ノードＭＭＥは、ノードＳ-ＧＷが本発明に対応していないと判定した場合、ステップＳ１１５において、従来のＳＲＶＣＣ処理を行う。
【００７５】
ノードＭＭＥは、ノードＳ-ＧＷが本発明に対応していると判定した場合、ステップＳ１１６において、拡張ＭＳＣ/ＭＧＷに対して、本発明に係るＳＲＶＣＣを行うことを示す所定フラグが設定されたベアラコンテキストを含む「ＰＳ  ｔｏ  ＣＳ  Ｒｅｑｕｅｓｔ」を送信する。
【００７６】
次に、図６を参照して、本実施形態に係る拡張ＭＳＣ/ＭＧＷの動作について説明する。
【００７７】
図６に示すように、拡張ＭＳＣ/ＭＧＷＥは、ステップＳ１２１において、ノードＭＭＥから「ＰＳ  ｔｏ  ＣＳ  Ｒｅｑｕｅｓｔ」を受信すると、ステップＳ１２２において、「ＰＳ  ｔｏ  ＣＳ  Ｒｅｑｕｅｓｔ」に含まれるベアラコンテキストに対する処理を開始し、ステップＳ１２３において、従来のＳＲＶＣＣ処理を行う。
【００７８】
拡張ＭＳＣ/ＭＧＷＥは、ステップ１２４において、「ＰＳ  ｔｏ  ＣＳ  Ｒｅｑｕｅｓｔ」に含まれるベアラコンテキストに、所定フラグが設定されているか否かについて判定する。
【００７９】
所定フラグが設定されていると判定された場合、本動作は、ステップＳ１２５に進み、所定フラグが設定されていないと判定された場合、本動作は、終了する。
【００８０】
ステップＳ１２５において、拡張ＭＳＣ/ＭＧＷＥは、ノードＳ-ＧＷとの間の通信用のベアラ情報（ＩＰアドレス及びＴＥＩＤ）を割り当て、かかるベアラ情報を「ＰＳ  ｔｏ
ＣＳ  Ｒｅｓｐｏｎｓｅ」によってノードＭＭＥに通知する。
【００８１】
次に、図７を参照して、本実施形に係るノードＳ-ＧＷの動作１について説明する。
【００８２】
図７に示すように、ノードＳ-ＧＷは、ステップＳ１３１において、ノードＭＭＥから「Ｍｏｄｉｆｙ  Ｂｅａｒｅｒ  Ｒｅｑｕｅｓｔ」を受信し、ステップＳ１３２において、拡張ＭＳＣ/ＭＧＷＥのＩＰアドレス及びＴＥＩＤを受領する。
【００８３】
ノードＳ-ＧＷは、ステップＳ１３３において、拡張ＭＳＣ/ＭＧＷＥとの間の通信用のベアラ情報（ＩＰアドレス及びＴＥＩＤ）を割り当て、かかるベアラ情報を「Ｍｏｄｉｆｙ  Ｂｅａｒｅｒ  Ｒｅｓｐｏｎｓｅ」によってノードＭＭＥに通知する。
【００８４】
ステップＳ１３４において、ノードＳ-ＧＷは、拡張ＭＳＣ/ＭＧＷ及び無線基地局ｅＮｏｄｅＢ向けのＶｏＩＰメディア信号のＢｉ-ｃａｓｔｉｎｇを開始する。
【００８５】
次に、図８を参照して、本実施形に係るノードＳ-ＧＷの動作２について説明する。
【００８６】
図８に示すように、ノードＳ-ＧＷは、ステップＳ１４１において、上り方向のＵプレーンデータを受信すると、ステップＳ１４２において、かかるＵプレーンデータが拡張ＭＳＣ/ＭＧＷからのＵプレーンデータであるか否かについて判定する。
【００８７】
ノードＳ-ＧＷは、拡張ＭＳＣ/ＭＧＷからのＵプレーンデータでないと判定した場合、ステップＳ１４３において、拡張ＭＳＣ/ＭＧＷ及び無線基地局ｅＮｏｄｅＢ向けのＶｏＩＰメディア信号のＢｉ-ｃａｓｔｉｎｇを継続する。
【００８８】
一方、ノードＳ-ＧＷは、拡張ＭＳＣ/ＭＧＷからのＵプレーンデータであると判定した場合、ステップＳ１４４において、かかるＵプレーンデータに対応するＶｏＩＰメディア信号の無線基地局ｅＮｏｄｅＢ向けの転送を停止する、すなわち、拡張ＭＳＣ/ＭＧＷ及び無線基地局ｅＮｏｄｅＢ向けのＶｏＩＰメディア信号のＢｉ-ｃａｓｔｉｎｇを中止する。
【００８９】
次に、図９及び図１０を参照して、本発明の第１の実施形態に係る移動通信システムの動作について、具体的には、本発明の第１の実施形態に係る移動通信システムにおいて、第２通信状態から第１通信状態に切り替わる場合の動作について説明する。
【００９０】
図９に示すように、ステップＳ２０００において、第２通信状態であるため、Ｕプレーンデータは、無線回線制御局ＲＮＣとノードＳ-ＧＷとを介して移動局ＵＥ＃１とノードＰ-ＧＷとの間で送受信されている。
【００９１】
ステップＳ２００１において、移動局ＵＥ＃１と無線回線制御局ＲＮＣとの間で、移動局ＵＥ＃１の２Ｇ/３Ｇ方式の無線アクセスシステムからＬＴＥ方式の無線アクセスシステムへのハンドオーバ処理が開始されると、ステップＳ２００２において、無線回線制御局ＲＮＣは、ノードＳＧＳＮに対して、「ＣＳ/ＰＳ  ＨＯビット」を含む「Ｒｅｌｏｃａｔｉｏｎ  Ｒｅｑｕｉｒｅｄ」を送信する。
【００９２】
ステップＳ２００３において、ノードＳＧＳＮは、移動局ＵＥ及びノードＭＭＥが、本発明に対応しているか否かについて判定する。
【００９３】
ノードＳＧＳＮは、移動局ＵＥ及びノードＭＭＥが本発明に対応していると判定した場合、ステップＳ２００４において、ＶｏＩＰメディア信号用のベアラコンテキストを追加する。
【００９４】
ステップＳ２００５において、無線回線制御局ＲＮＣは、ノードＭＳＣに対して、「Ｒｅｌｏｃａｔｉｏｎ  Ｒｅｑｕｉｒｅｄ」を送信し、ステップＳ２００６において、ノードＭＳＣは、拡張ＭＳＣ/ＭＧＷに対して、「ＭＡＰ  Ｐｒｅｐａｒｅ  ＨＯ  ｒｅｑ」を送信し、ステップＳ２００７において、拡張ＭＳＣ/ＭＧＷは、ノードＳＧＳＮに対して、「ＣＳ  ｔｏ  ＰＳ  Ｒｅｑｕｅｓｔ」を送信し、ステップＳ２００８において、ノードＳＧＳＮは、移動局ＵＥ＃１に係るＶｏＩＰメディア信号用のＥＰＳベアラの作成を
開始する。
【００９５】
ステップＳ２００９において、ノードＳＧＳＮが、ノードＭＭＥに対して、ＶｏＩＰメディア追加識別子を含む「Ｆｏｒｗａｒｄ  Ｒｅｌｏｃａｔｉｏｎ  Ｒｅｑｕｅｓｔ」を送信する。
【００９６】
上述のように、ノードＳＧＳＮは、ステップＳ２００２において受信された「Ｒｅｌｏｃａｔｉｏｎ  Ｒｅｑｕｉｒｅｄ」に「ＣＳ/ＰＳ  ＨＯビット」が含まれていた場合、或いは、所定の判断ロジックに合致した場合、拡張ＭＳＣ/ＭＧＷから「ＣＳ  ｔｏ  ＰＳ  Ｒｅｑｕｅｓｔ」を受信した後に、ノードＭＭＥに対して、「Ｆｏｒｗａｒｄ  Ｒｅｌｏｃａｔｉｏｎ  Ｒｅｑｕｅｓｔ」を送信する。
【００９７】
なお、ノードＳＧＳＮは、所定期間、拡張ＭＳＣ/ＭＧＷから「ＣＳ  ｔｏ  ＰＳ  Ｒｅｑｕｅｓｔ」を受信しない場合には、従来のパケット通信に係るハンドオーバ処理のみを行ってもよい。
【００９８】
ノードＭＭＥは、ステップＳ２０１０において、受信した「Ｆｏｒｗａｒｄ  Ｒｅｌｏｃａｔｉｏｎ  Ｒｅｑｕｅｓｔ」に含まれるＶｏＩＰメディア追加識別子に基づいて、ＶｏＩＰメディア信号用のベアラコンテキストを追加し、ステップＳ２０１１において、無線基地局ｅＮｏｄｅＢに対して、「Ｒｅｌｏｃａｔｉｏｎ  Ｒｅｑｕｅｓｔ」を送信する。
【００９９】
ステップＳ２０１２において、無線基地局ｅＮｏｄｅＢは、ノードＭＭＥに対して、「Ｒｅｌｏｃａｔｉｏｎ  Ｒｅｑｕｅｓｔ  Ａｃｋｎｏｗｌｅｄｇｅ」を送信し、ステップＳ２０１３において、ノードＭＭＥは、ノードＳ-ＧＷに対して、「Ｍｏｄｉｆｙ  Ｂｅａｒｅｒ  Ｒｅｑｕｅｓｔ」を送信する。
【０１００】
ノードＳ-ＧＷは、ステップＳ２０１４において、ＶｏＩＰメディア信号用ベアラに対して、ＩＰアドレス及びＴＥＩＤを割り当て、ステップＳ２０１５において、かかるＩＰアドレス及びＴＥＩＤを含む「Ｍｏｄｉｆｙ  Ｂｅａｒｅｒ  Ｒｅｓｐｏｎｓｅ」を、ノードＭＭＥに対して送信する。
【０１０１】
ステップＳ２０１６において、ノードＭＭＥは、ノードＳＧＳＮに対して、「Ｆｏｒｗａｒｄ  Ｒｅｌｏｃａｔｉｏｎ  Ｒｅｓｐｏｎｓｅ」を送信し、ステップＳ２０１７において、ノードＳＧＳＮは、拡張ＭＳＣ/ＭＧＷに対して、「ＣＳ  ｔｏ  ＰＳ  Ｒｅｓｐｏｎｓｅ」を送信する。
【０１０２】
かかるステップＳ２００９乃至Ｓ２０１７の動作は、パケット信号についてのハンドオーバ処理に係る動作である。
【０１０３】
ステップＳ２０１８において、拡張ＭＳＣ/ＭＧＷは、ノードＭＳＣに対して、「ＭＡＰ  Ｐｒｅｐａｒｅ  ＨＯ  ａｃｋ」を送信する。
【０１０４】
ステップＳ２０１９において、ノードＳ-ＧＷは、拡張ＭＳＣ/ＭＧＷ及び無線基地局ｅＮｏｄｅＢ（ＶｏＩＰメディア信号用ベアラ）向けのＶｏＩＰメディア信号のＢｉ-ｃａｓｔｉｎｇを開始する。
【０１０５】
ステップＳ２１１１において、ノードＭＳＣは、無線回線制御局ＲＮＣに対して、「Ｈａｎｄｏｖｅｒ  Ｃｏｍｍａｎｄ」を送信し、ノードＳＧＳＮは、ステップＳ２１１２において、ＶｏＩＰベアラ信号については、ノードＭＭＥへの転送の対象外とし、ステップＳ２１１３において、無線回線制御局ＲＮＣに対して、「Ｈａｎｄｏｖｅｒ  Ｃｏｍｍａｎｄ」を送信する。
【０１０６】
無線回線制御局ＲＮＣは、ステップＳ２１１４において、移動局ＵＥ＃１に対して、「ＨＯ  ｆｒｏｍ  ＵＴＲＡＮ  Ｃｏｍｍａｎｄ」を送信する。
【０１０７】
ステップＳ２１１５において、移動局ＵＥ＃１と無線基地局ｅＮｏｄｅＢとの間で無線アクセスリンクを確立する手順が行われ、ステップＳ２１１６において、移動局ＵＥ＃１は、無線回線制御局ＲＮＣに対して、「Ｈａｎｄｏｖｅｒ  ｔｏ  Ｅ-ＵＴＲＡＮ  Ｃｏｍｐｌｅｔｅ」を送信する。
【０１０８】
図１０に示すように、ステップＳ２１１７において、移動局ＵＥ＃１において無線基地局ｅＮｏｄｅＢに対する上り方向のＵプレーンデータの送信が可能となる。
【０１０９】
無線回線制御局ＲＮＣは、ステップＳ２１１８において、下り方向のＵプレーンデータを受信すると、「Ｄｉｒｅｃｔ  Ｆｏｒｗａｒｄｉｎｇ」が適用されていると、かかる下り方向のＵプレーンデータを、無線基地局ｅＮｏｄｅＢに対して転送する。
【０１１０】
一方、無線回線制御局ＲＮＣは、ステップＳ２１１８において、下り方向のＵプレーンデータを受信すると、「Ｉｎｄｉｒｅｃｔ  Ｆｏｒｗａｒｄｉｎｇ」が適用されていると、かかる下り方向のＵプレーンデータを、ノードＳ-ＧＷを経由して無線基地局ｅＮｏｄｅＢに対して転送する。ここで、「Ｄｉｒｅｃｔ  Ｔｕｎｎｅｌ」が用いられていない場合には、無線回線制御局ＲＮＣは、ノードＳ-ＧＷからノードＳＧＳＮを介して無線基地局ｅＮｏｄｅＢに対して転送する。
【０１１１】
ステップＳ２１１９において、Ｕプレーンデータは、無線基地局ｅＮｏｄｅＢとノードＳ-ＧＷとを介して移動局ＵＥ＃１とノードＰ-ＧＷとの間で送受信されるようになる。
【０１１２】
ここで、ノードＳ-ＧＷは、上り方向のＶｏＩＰメディア信号を受信すると、上述のＢｉ-ｃａｓｔｉｎｇを停止し、拡張ＭＳＣ/ＭＧＷ向けのＶｏＩＰメディア信号用ベアラを開放する。
【０１１３】
ステップＳ２１２０において、無線基地局ｅＮｏｄｅＢは、ノードＭＭＥに対して、「Ｒｅｌｏｃａｔｉｏｎ  Ｃｏｍｐｌｅｔｅ」を送信する。
【０１１４】
ステップＳ２１２１において、ノードＭＭＥは、ノードＳＧＳＮに対して、「Ｆｏｒｗａｒｄ  Ｒｅｌｏｃａｔｉｏｎ  Ｃｏｍｐｌｅｔｅ」を送信し、ステップＳ２１２２において、ノードＳＧＳＮは、ノードＭＭＥに対して、「Ｆｏｒｗａｒｄ  Ｒｅｌｏｃａｔｉｏｎ  Ｃｏｍｐｌｅｔｅ  Ａｃｋｎｏｗｌｅｄｇｅ」を送信する。
【０１１５】
ステップＳ２１２３において、ノードＳＧＳＮは、ノードＳ-ＧＷに対して、「Ｍｏｄｉｆｙ  Ｂｅａｒｅｒ  Ｒｅｑｕｅｓｔ」を送信する。
【０１１６】
ステップＳ２１２４において、ノードＳ-ＧＷは、ノードＰ-ＧＷに対して、「Ｍｏｄｉｆｙ  Ｂｅａｒｅｒ  Ｒｅｑｕｅｓｔ」を送信し、ステップＳ２１２５において、ノードＰ-ＧＷは、ノードＳ-ＧＷに対して、「Ｍｏｄｉｆｙ  Ｂｅａｒｅｒ  Ｒｅｓｐｏｎｓｅ」を送信する。
【０１１７】
ステップＳ２１２６において、ノードＳ-ＧＷは、ノードＳＧＳＮに対して、「Ｍｏｄｉｆｙ  Ｂｅａｒｅｒ  Ｒｅｓｐｏｎｓｅ」を送信する。
【０１１８】
ステップＳ２１２７において、パケット信号が、ノードＰ-ＧＷと移動局ＵＥ＃１との間で、ノードＳ-ＧＷと無線基地局ｅＮｏｄｅＢとを介して送受信されるように切り替えられる。
【０１１９】
ステップＳ２１２８において、移動局ＵＥ＃１とノードＳＧＳＮとの間で、第２通信状態で用いられていたパケット通信用ベアラの開放制御が行われ、ステップＳ２１２９において、移動局ＵＥ＃１と拡張ＭＳＣ/ＭＧＷとの間で、第２通信状態で用いられていた回線交換通信用ベアラの開放制御が行われる。
【０１２０】
本発明の第１の実施形態に係る移動通信システムによれば、第１通信状態と第２通信状態との切り替え処理を、移動局ＵＥ＃１の在圏ネットワーク内に閉じて実現することができ、通信不可となる切り替え時間を短縮すると共に、ＩＭＳによる制御を必要とすることなく、かかる切り替え処理を行うことができる。
【０１２１】
この結果、上述の切り替え処理を、移動局ＵＥ＃１のホームネットワーク及び移動局ＵＥ＃２に対して完全に隠蔽することが可能となるため、移動局ＵＥ＃１のホームネットワークに配置されているＩＭＳにＳＲＶＣＣ対応能力が要求されず、移動局ＵＥ＃１のホームネットワーク及び在圏ネットワークとの間で複雑な手続きが不要となる。
【０１２２】
また、本発明の第１の実施形態に係る移動通信システムによれば、第２通信状態から第１通信状態への切り替えも可能となり、ＬＴＥ方式の無線アクセスシステムを用いたパケット通信と音声通信とを同時に利用する機会を増やすことで、サービス性の向上が可能となる。
【０１２３】
（変更例１）
図１１乃至図２１を参照して、本発明の変更例１に係る移動通信システムについて説明する。以下、本発明の変更例１に係る移動通信システムについて、上述の第１の実施形態に係る移動通信システムとの相違点に着目して説明する。
【０１２４】
図１１に示すように、本変更例１に係る移動通信システムには、拡張ＭＳＣ/ＭＧＷが設けられていない。
【０１２５】
第１通信状態では、移動局ＵＥ＃１と移動局ＵＥ＃２との間で、ＶｏＩＰメディア信号が、ＬＴＥ方式の無線アクセスシステムとノードＳ-ＧＷとを介して送受信されるように構成されている。
【０１２６】
また、第１通信状態では、ＶｏＩＰ制御信号が、ＬＴＥ方式の無線アクセスシステムとノードＳ-ＧＷとＩＭＳとを介して送受信されるように構成されている。
【０１２７】
第２通信状態では、回線交換信号が、２Ｇ/３Ｇ方式の無線アクセスシステムを介して移動局ＵＥ＃１とノードＳ-ＧＷとの間で送受信され、ＶｏＩＰメディア信号が、ノードＳ-ＧＷと移動局ＵＥ＃２との間で送受信され、ＶｏＩＰ制御信号が、２Ｇ/３Ｇ方式の無線アクセスシステムと該ノードＳ-ＧＷとＩＭＳとを介して移動局ＵＥ＃１と移動局ＵＥ＃２との間で送受信されるように構成されている。
【０１２８】
また、第２通信状態では、ノードＳ-ＧＷは、回線交換信号とＶｏＩＰメディア信号とを変換するように構成されている。
【０１２９】
以下、図１２及び図１３を参照して、本変更例１に係る移動通信システムの動作について、具体的には、本変更例１に係る移動通信システムにおいて、第１通信状態から第２通信状態に切り替わる場合の動作について説明する。
【０１３０】
図１２に示すように、ステップＳ３０００において、第１通信状態であるため、ＶｏＩＰメディア信号とＶｏＩＰ制御信号とパケット信号とを含むＵプレーンデータは、無線基地局ｅＮｏｄｅＢ及びノードＳ-ＧＷを介して移動局ＵＥ＃１とノードＰ-ＧＷとの間で送受信されている。
【０１３１】
ステップＳ３００１において、移動局ＵＥ＃１と無線基地局ｅＮｏｄｅＢとの間で、移動局ＵＥ＃１のＬＴＥ方式の無線アクセスシステムから２Ｇ/３Ｇ方式の無線アクセスシステムへのハンドオーバ処理が開始されると、ステップＳ３００２において、無線基地局ｅＮｏｄｅＢは、ノードＭＭＥに対して、「Ｈａｎｄｏｖｅｒ  Ｒｅｑｕｉｒｅｄ」を送信する。
【０１３２】
ステップＳ３００３において、ノードＭＭＥは、移動局ＵＥが、ＳＲＶＣＣ対応能力を具備しているか否かについて、及び、ノードＳ-ＧＷが、所定能力（本発明対応能力）を具備しているか否かについて判定する。
【０１３３】
ノードＭＭＥは、移動局ＵＥ及びノードＳ-ＧＷがＳＲＶＣＣ対応能力を具備していると判定した場合、ステップＳ３００４において、ノードＳＧＳＮに対して、「Ｆｏｒｗａｒｄ  Ｒｅｌｏｃａｔｉｏｎ  Ｒｅｑｕｅｓｔ」を送信する。
【０１３４】
ノードＳＧＳＮは、ステップＳ３００５において、ＭＭコンテキストにＶｏＩＰメディア信号用ベアラが存在すると判定した場合に、ステップＳ３００６において、無線回線制御局ＲＮＣに対して、「Ｒｅｌｏｃａｔｉｏｎ  Ｒｅｑｕｅｓｔ」を送信し、ステップＳ３００７において、無線回線制御局ＲＮＣは、ノードＳＧＳＮに対して、「Ｒｅｌｏｃａｔｉｏｎ  Ｒｅｑｕｅｓｔ  Ａｃｋｎｏｗｌｅｄｇｅ」を送信する。
【０１３５】
ステップＳ３００８において、ノードＳＧＳＮは、無線回線制御局ＲＮＣに対して、ＶｏＩＰメディア信号用ベアラ識別子を含む「Ｒｅｌｏｃａｔｉｏｎ  Ｒｅｑｕｅｓｔ  ｆｏｒ  ｌｕ-ＵＰ」を送信し、ステップＳ３００９において、無線回線制御局ＲＮＣは、ノードＳＧＳＮに対して、ＶｏＩＰメディア信号用ベアラ識別子を含む「Ｂｅａｒｅｒ  Ｅｓｔａｂｌｉｓｈ」を送信する。
【０１３６】
ノードＳ-ＧＷは、ステップＳ３０１０において、ｌｕ-ＵＰベアラに対してノードＳＧＷ側のＩＰアドレス及びポート番号を割り当て、ステップＳ３０１１において、無線回線制御局ＲＮＣに対して、「Ｂｅａｒｅｒ  Ｃｏｎｆｉｒｍ」を送信する。
【０１３７】
ステップＳ３０１２において、ノードＳ-ＧＷと無線回線制御局ＲＮＣとの間でｌｕ-ＵＰベアラの初期化処理が行われ、ステップＳ３０１３において、無線回線制御局ＲＮＣは、ノードＳＧＳＮに対して、「Ｒｅｌｏｃａｔｉｏｎ  Ｒｅｑｕｅｓｔ  Ａｃｋｎｏｗｌｅｄｇｅｍｅｎｔ  ｆｏｒ  ｌｕ-ＵＰ」を送信する。
【０１３８】
この結果、ステップＳ３０１４Ａにおいて、無線回線制御局ＲＮＣにおけるｌｕ-ＵＰベアラの設定が完了し、ステップＳ３０１４Ｂにおいて、ノードＳ-ＧＷにおけるｌｕ-ＵＰベアラの設定が完了する。
【０１３９】
ステップＳ３０１５において、ノードＳＧＳＮは、ノードＭＭＥに対して、ノードＳＧＷ宛ての「Ｆｏｒｗａｒｄ  Ｒｅｌｏｃａｔｉｏｎ  Ｒｅｓｐｏｎｓｅ」を送信する。
【０１４０】
ステップＳ３０１６において、ノードＳ-ＧＷは、無線回線制御局ＲＮＣ（ｌｕ-ＵＰベアラ）及び無線基地局ｅＮｏｄｅＢ（ＶｏＩＰメディア信号用ベアラ）向けのＶｏＩＰメディア信号のＢｉ-ｃａｓｔｉｎｇを開始する。ここで、ノードＳ-ＧＷが、回線交換信号とＶｏＩＰメディア信号との間でコーデック変換（ＲＴＰ／ＡＭＲ-ｌｕ-ＵＰ/ＡＭＲ）を行う。
【０１４１】
ノードＭＭＥは、ステップＳ３０２１において、ＶｏＩＰベアラ信号については、ノードＳＧＳＮへの転送の対象外とし、ステップＳ３０２２において、無線基地局ｅＮｏｄｅＢに対して、「Ｈａｎｄｏｖｅｒ  Ｃｏｍｍａｎｄ」を送信する。
【０１４２】
無線基地局ｅＮｏｄｅＢは、ステップＳ３０２４において、移動局ＵＥ＃１に対して、「ＨＯ  ｆｒｏｍ  Ｅ-ＵＴＲＡＮ  Ｃｏｍｍａｎｄ」を送信する。
【０１４３】
ステップＳ３０２５において、移動局ＵＥ＃１と無線回線制御局ＲＮＣとの間で無線アクセスリンクを確立する手順が行われ、ステップＳ３０２６において、移動局ＵＥ＃１は、無線回線制御局ＲＮＣに対して、「Ｈａｎｄｏｖｅｒ  ｔｏ  ＵＴＲＡＮ  Ｃｏｍｐｌｅｔｅ」を送信し、ステップＳ３０２７において、移動局ＵＥ＃１において無線回線制御局ＲＮＣに対する上り方向のＵプレーンデータの送信が可能となる。
【０１４４】
図１３に示すように、ステップＳ３０２８において、移動局ＵＥ＃１は、回線交換信号を、無線回線制御局ＲＮＣ（ｌｕ-ＵＰベアラ）を介してノードＳ-ＧＷに送信し、ノードＳ-ＧＷは、ステップＳ３０２９において、受信した回線交換信号に対してコーデック変換処理を行ってＶｏＩＰメディア信号を取得し、ステップＳ３０３０において、かかるＶｏＩＰメディア信号をノードＰ-ＧＷに対して送信する。
【０１４５】
ノードＳ-ＧＷは、ステップＳ３０３１において、上り方向のＵプレーンデータを受信したため、上述のＢｉ-ｃａｓｔｉｎｇを停止し、ステップＳ３０３２において、回線交換信号を、無線回線制御局ＲＮＣ（ｌｕ-ＵＰベアラ）を介して移動局ＵＥ＃１に送信する。
【０１４６】
無線基地局ｅＮｏｄｅＢは、ステップＳ３０３３において、下り方向のＵプレーンデータを受信すると、「Ｄｉｒｅｃｔ  Ｆｏｒｗａｒｄｉｎｇ」が適用されていると、かかる下り方向のＵプレーンデータを、無線回線制御局ＲＮＣに対して転送する。
【０１４７】
一方、無線基地局ｅＮｏｄｅＢは、ステップＳ３０３３において、下り方向のＵプレーンデータを受信すると、「Ｉｎｄｉｒｅｃｔ  Ｆｏｒｗａｒｄｉｎｇ」が適用されていると、かかる下り方向のＵプレーンデータを、ノードＳ-ＧＷを経由して無線回線制御局ＲＮＣに対して転送する。ここで、「Ｄｉｒｅｃｔ  Ｔｕｎｎｅｌ」が用いられていない場合には、無線基地局ｅＮｏｄｅＢは、ノードＳ-ＧＷからノードＳＧＳＮを介して無線回線制御局ＲＮＣに対して転送する。
【０１４８】
ステップＳ３０３４において、無線回線制御局ＲＮＣは、ノードＳＧＳＮに対して、「Ｒｅｌｏｃａｔｉｏｎ  Ｃｏｍｐｌｅｔｅ」を送信する。
【０１４９】
ステップＳ３０３５において、ノードＳＧＳＮは、ノードＭＭＥに対して、「Ｆｏｒｗａｒｄ  Ｒｅｌｏｃａｔｉｏｎ  Ｃｏｍｐｌｅｔｅ」を送信し、ステップＳ３０３６において、ノードＭＭＥは、ノードＳＧＳＮに対して、「Ｆｏｒｗａｒｄ  Ｒｅｌｏｃａｔｉｏｎ  Ｃｏｍｐｌｅｔｅ  Ａｃｋｎｏｗｌｅｄｇｅ」を送信する。
【０１５０】
ステップＳ３０３７において、ノードＭＭＥは、ノードＳ-ＧＷに対して、「Ｍｏｄｉｆｙ  Ｂｅａｒｅｒ  Ｒｅｑｕｅｓｔ」を送信する。
【０１５１】
ステップＳ３０３８において、ノードＳ-ＧＷは、ノードＰ-ＧＷに対して、「Ｍｏｄｉｆｙ  Ｂｅａｒｅｒ  Ｒｅｑｕｅｓｔ」を送信し、ステップＳ３０３９において、ノードＰ-ＧＷは、ノードＳ-ＧＷに対して、「Ｍｏｄｉｆｙ  Ｂｅａｒｅｒ  Ｒｅｓｐｏｎｓｅ」を送信する。
【０１５２】
ステップＳ３０４０において、ノードＳ-ＧＷは、ノードＭＭＥに対して、「Ｍｏｄｉｆｙ  Ｂｅａｒｅｒ  Ｒｅｓｐｏｎｓｅ」を送信する。
【０１５３】
ステップＳ３０４１において、ＶｏＩＰ制御信号及びパケット信号が、ノードＰ-ＧＷと移動局ＵＥ＃１との間で、ノードＳ-ＧＷとノードＳＧＳＮと無線回線制御局ＲＮＣとを介して送受信されるように切り替えられる。
【０１５４】
ここで、ＶｏＩＰメディア信号は、ノードＳ-ＧＷとノードＰ-ＧＷとの間で送受信され、回線交換信号が、無線回線制御局ＲＮＣを介して移動局ＵＥ＃１とノードＳ-ＧＷとの間で送受信されるように切り替えられる。ここで、ノードＳ-ＧＷが、回線交換信号とＶｏＩＰメディア信号との間でコーデック変換（ＲＴＰ／ＡＭＲ-ｌｕ-ＵＰ/ＡＭＲ）を行う。
【０１５５】
ステップＳ３０４２において、移動局ＵＥ＃１とノードＭＭＥとの間で、第１通信状態で用いられていたパケット通信用ベアラの開放制御が行われる。
【０１５６】
次に、図１４を参照して、本変更例１に係るノードＭＭＥの動作１について説明する。
【０１５７】
図１４に示すように、ノードＭＭＥは、ステップＳ２０１において、Ｅ-ＵＴＲＡＮから「Ｈａｎｄｏｖｅｒ  Ｒｅｑｕｉｒｅｄ」を受信すると、ステップＳ２０２において、ＱＣＩ等を参照して、ＶｏＩＰベアラ信号用ベアラが設定されているか否かについて判定する。
【０１５８】
ノードＭＭＥは、ＶｏＩＰベアラ信号用ベアラが設定されていないと判定した場合、ステップＳ２０３において、ＳＲＶＣＣ処理とは関係ない通常のパケット通信に係るハンドオーバ処理を行う。
【０１５９】
ノードＭＭＥは、ＶｏＩＰベアラ信号用ベアラが設定されていると判定した場合、ステップＳ２０４において、移動局ＵＥ＃１及びノードＳ-ＧＷが、本発明に対応しているか否かについて、すなわち、所定機能（本発明に係る機能）を具備しているか否かについて判定する。
【０１６０】
ノードＭＭＥは、移動局ＵＥ＃１及びノードＳ-ＧＷが本発明に対応していないと判定した場合、ステップＳ２０５において、従来のＳＲＶＣＣ処理を行う。
【０１６１】
ノードＭＭＥは、移動局ＵＥ＃１及びノードＳ-ＧＷが本発明に対応していると判定した場合、ステップＳ２０６において、ノードＳＧＳＮに対して、本発明に係るＳＲＶＣＣを行うことを示す所定識別子が設定されたベアラコンテキストを含む「Ｆｏｒｗａｒｄ  Ｒｅｌｏｃａｔｉｏｎ  Ｒｅｑｕｅｓｔ」を送信する。
【０１６２】
次に、図１５を参照して、本変更例１に係るノードＭＭＥの動作２について説明する。
【０１６３】
図１５に示すように、ノードＭＭＥは、ステップＳ２１１において、ノードＳＧＳＮから「Ｆｏｒｗａｒｄ  Ｒｅｌｏｃａｔｉｏｎ  Ｒｅｓｐｏｎｓｅ」を受信すると、ステップＳ２１２において、ＱＣＩ等を参照して、ＶｏＩＰベアラ信号用ベアラが設定されているか否かについて判定する。
【０１６４】
ノードＭＭＥは、ＶｏＩＰベアラ信号用ベアラが設定されていないと判定した場合、ステップＳ２１３において、ＳＲＶＣＣ処理とは関係ない通常のパケット通信に係るハンドオーバ処理を行う。
【０１６５】
ノードＭＭＥは、ＶｏＩＰベアラ信号用ベアラが設定されていると判定した場合、ステップＳ２１４において、Ｅ-ＵＴＲＡＮに対して送信する「Ｈａｎｄｏｖｅｒ  Ｃｏｍｍａｎｄ」内の「Ｂｅａｒｅｒｓ  Ｓｕｂｊｅｃｔ  ｔｏ  Ｄａｔａ  Ｆｏｒｗａｒｄｉｎｇ  Ｌｉｓｔ」に、ＶｏＩＰメディア信号用のベアラ情報を設定しない。
【０１６６】
次に、図１６を参照して、本変更例１に係るノードＳＧＳＮの動作について説明する。
【０１６７】
図１６に示すように、ノードＳＧＳＮは、ステップＳ２２１において、ノードＭＭＥから「Ｆｏｒｗａｒｄ  Ｒｅｌｏｃａｔｉｏｎ  Ｒｅｑｕｅｓｔ」を受信すると、ステップＳ２２２において、「Ｆｏｒｗａｒｄ  Ｒｅｌｏｃａｔｉｏｎ  Ｒｅｑｕｅｓｔ」に含まれるベアラコンテキストに対する処理を開始し、ステップＳ２２３において、「Ｆｏｒｗａｒｄ  Ｒｅｌｏｃａｔｉｏｎ  Ｒｅｑｕｅｓｔ」に含まれるベアラコンテキストに、所定識別子が設定されているか否かについて判定する。
【０１６８】
所定識別子が設定されていると判定された場合、本動作は、ステップＳ２２４に進み、所定フラグが設定されていないと判定された場合、本動作は、ステップＳ２２５に進む。
【０１６９】
ステップＳ２２４において、ノードＳＧＳＮは、無線回線制御局ＲＮＣに対して、回線交換通信用ベアラの設定を指示すると共に、ＳＲＶＣＣ処理とは関係ない通常のパケット通信に係るハンドオーバ処理を行う。
【０１７０】
ステップＳ２２５において、ノードＳＧＳＮは、ＳＲＶＣＣ処理とは関係ない通常のパケット通信に係るハンドオーバ処理を行う。
【０１７１】
次に、図１７を参照して、本変更例１に係るノードＳ-ＧＷの動作１について説明する。
【０１７２】
図１７に示すように、ノードＳ-ＧＷは、ステップＳ２３１において、無線回線制御局ＲＮＣから「Ｂｅａｒｅｒ  Ｅｓｔａｂｌｉｓｈ」を受信すると、ステップＳ２３２において、ｌｕ-ＵＰベアラに対して、ノードＳ-ＧＷ側のＩＰアドレス及びポート番号を割り当て、コーデックの変換対象のＶｏＩＰメディア信号用ベアラを記憶する。
【０１７３】
ステップＳ２３３において、ノードＳ-ＧＷは、かかるＩＰアドレス及びポート番号を含む「Ｂｅａｒｅｒ  Ｃｏｎｆｉｒｍ」を送信する。
【０１７４】
次に、図１８を参照して、本変更例１に係るノードＳ-ＧＷの動作２について説明する。
【０１７５】
図１８に示すように、ノードＳ-ＧＷは、ステップＳ２４１において、無線回線制御局ＲＮＣとの間のｌｕ-ＵＰベアラの設定を完了すると、ステップＳ２４２において、対象のＶｏＩＰメディア信号を、無線回線制御局ＲＮＣ及び無線基地局ｅＮｏｄｅＢ向けへのＢｉ-ｃａｓｔｉｎｇを開始する。
【０１７６】
次に、図１９を参照して、本変更例１に係るノードＳ-ＧＷの動作３について説明する。
【０１７７】
図１９に示すように、ノードＳ-ＧＷは、ステップＳ２５１において、上り方向のＵプレーンデータを受信すると、ステップＳ２５２において、かかるＵプレーンデータがｌｕ-ＵＰを介して受信したＵプレーンデータであるか否かについて判定する。
【０１７８】
ノードＳ-ＧＷは、ｌｕ-ＵＰを介して受信したＵプレーンデータでないと判定した場合、ステップＳ２５３において、無線回線制御局ＲＮＣ及び無線基地局ｅＮｏｄｅＢ向けのＶｏＩＰメディア信号のＢｉ-ｃａｓｔｉｎｇを継続する。
【０１７９】
一方、ノードＳ-ＧＷは、ｌｕ-ＵＰを介して受信したＵプレーンデータであると判定した場合、ステップＳ２５４において、かかるＵプレーンデータに対応するＶｏＩＰメディア信号の無線基地局ｅＮｏｄｅＢ向けの転送を停止する、すなわち、無線回線制御局ＲＮＣ及び無線基地局ｅＮｏｄｅＢ向けのＶｏＩＰメディア信号のＢｉ-ｃａｓｔｉｎｇを中止する。
【０１８０】
次に、図２０及び図２１を参照して、本変更例１に係る移動通信システムの動作について、具体的には、本変更例１に係る移動通信システムにおいて、第２通信状態から第１通信状態に切り替わる場合の動作について説明する。
【０１８１】
図２０に示すように、ステップＳ４０００において、第２通信状態であるため、Ｕプレーンデータは、無線回線制御局ＲＮＣとノードＳ-ＧＷとを介して移動局ＵＥ＃１とノードＰ-ＧＷとの間で送受信されている。
【０１８２】
ステップＳ４００１において、移動局ＵＥ＃１と無線回線制御局ＲＮＣとの間で、移動局ＵＥ＃１の２Ｇ/３Ｇ方式の無線アクセスシステムからＬＴＥ方式の無線アクセスシステムへのハンドオーバ処理が開始されると、ステップＳ４００２において、無線回線制御局ＲＮＣは、ノードＳＧＳＮに対して、「Ｒｅｌｏｃａｔｉｏｎ  Ｒｅｑｕｉｒｅｄ」を送信する。
【０１８３】
ステップＳ４００３において、ノードＳＧＳＮは、移動局ＵＥ及びノードＭＭＥが本発明に対応していると判定した場合で、ＶｏＩＰメディア信号用のＥＰＳベアラの作成を開始する。
【０１８４】
ステップＳ４００４において、ノードＳＧＳＮは、ノードＭＭＥに対して、ＶｏＩＰメディア信号用ベアラ識別子を含む「Ｆｏｒｗａｒｄ  Ｒｅｌｏｃａｔｉｏｎ  Ｒｅｑｕｅｓｔ」を送信する。
【０１８５】
ノードＭＭＥは、ステップＳ４００５において、受信した「Ｆｏｒｗａｒｄ  Ｒｅｌｏｃａｔｉｏｎ  Ｒｅｑｕｅｓｔ」に含まれるＶｏＩＰメディア信号用ベアラ識別子に基づいて、ＶｏＩＰメディア信号用のベアラコンテキストを追加し、ステップＳ４００６において、無線基地局ｅＮｏｄｅＢに対して、「Ｈａｎｄｏｖｅｒ  Ｒｅｑｕｅｓｔ」を送信する。
【０１８６】
ステップＳ４００７において、無線基地局ｅＮｏｄｅＢは、ノードＭＭＥに対して、「Ｈａｎｄｏｖｅｒ  Ｒｅｑｕｅｓｔ  Ａｃｋｎｏｗｌｅｄｇｅ」を送信し、ステップＳ４００８において、ノードＭＭＥは、ノードＳ-ＧＷに対して、「Ｍｏｄｉｆｙ  Ｂｅａｒｅｒ  Ｒｅｑｕｅｓｔ」を送信する。
【０１８７】
ノードＳ-ＧＷは、ステップＳ４００９において、ＶｏＩＰメディア信号用ベアラに対して、ＩＰアドレス及びＴＥＩＤを割り当て、ステップＳ４０１０において、かかるＩＰアドレス及びＴＥＩＤを含む「Ｍｏｄｉｆｙ  Ｂｅａｒｅｒ  Ｒｅｓｐｏｎｓｅ」を、ノードＭＭＥに対して送信する。
【０１８８】
ステップＳ４０１１において、ノードＭＭＥは、ノードＳＧＳＮに対して、「Ｆｏｒｗａｒｄ  Ｒｅｌｏｃａｔｉｏｎ  Ｒｅｓｐｏｎｓｅ」を送信する。
【０１８９】
ステップＳ４０１２において、ノードＳ-ＧＷは、拡張ＭＳＣ/ＭＧＷ及び無線基地局ｅＮｏｄｅＢ（ＶｏＩＰメディア信号用ベアラ）向けのＶｏＩＰメディア信号のＢｉ-ｃａｓｔｉｎｇを開始する。
【０１９０】
ノードＳＧＳＮは、ステップＳ４０２１において、ＶｏＩＰベアラ信号については、ノードＭＭＥへの転送の対象外とし、ステップＳ４０２２において、無線回線制御局ＲＮＣに対して、「Ｈａｎｄｏｖｅｒ  Ｃｏｍｍａｎｄ」を送信する。
【０１９１】
無線回線制御局ＲＮＣは、ステップＳ４０２３において、移動局ＵＥ＃１に対して、「ＨＯ  ｆｒｏｍ  ＵＴＲＡＮ  Ｃｏｍｍａｎｄ」を送信する。
【０１９２】
ステップＳ４０２４において、移動局ＵＥ＃１と無線基地局ｅＮｏｄｅＢとの間で無線アクセスリンクを確立する手順が行われ、ステップＳ４０２５において、移動局ＵＥ＃１は、無線基地局ｅＮｏｄｅＢに対して、「Ｈａｎｄｏｖｅｒ  ｔｏ  Ｅ-ＵＴＲＡＮ  Ｃｏｍｐｌｅｔｅ」を送信する。
【０１９３】
ステップＳ４０２６において、移動局ＵＥ＃１において無線基地局ｅＮｏｄｅＢに対する上り方向のＵプレーンデータの送信が可能となる。
【０１９４】
図２１に示すように、ステップＳ４０２８において、移動局ＵＥ＃１は、ＶｏＩＰメディア信用及びＶｏＩＰ制御信号を、無線基地局ｅＮｏｄｅＢ（ＶｏＩＰメディア信号用ベアラ）を介してノードＳ-ＧＷに送信し、ノードＳ-ＧＷは、ステップＳ４０２９において、受信した回線交換信号に対してコーデック変換処理を行うことなく、かかるＶｏＩＰメディア信号をノードＰ-ＧＷに対して送信する。
【０１９５】
ノードＳ-ＧＷは、ステップＳ４０３０において、上り方向のＵプレーンデータを受信したため、上述のＢｉ-ｃａｓｔｉｎｇを停止し、無線回線制御局ＲＮＣ向けのＶｏＩＰメディア信号用ベアラを開放し、ステップＳ４０３１において、回線交換信号を、無線基地局ｅＮｏｄｅＢ（ｌｕ-ＵＰベアラ）を介して移動局ＵＥ＃１に送信する。
【０１９６】
無線回線制御局ＲＮＣは、ステップＳ４０３２において、下り方向のＵプレーンデータを受信すると、「Ｄｉｒｅｃｔ  Ｆｏｒｗａｒｄｉｎｇ」が適用されていると、かかる下り方向のＵプレーンデータを、無線基地局ｅＮｏｄｅＢに対して転送する。
【０１９７】
一方、無線回線制御局ＲＮＣは、ステップＳ４０３２において、下り方向のＵプレーンデータを受信すると、「Ｉｎｄｉｒｅｃｔ  Ｆｏｒｗａｒｄｉｎｇ」が適用されていると、かかる下り方向のＵプレーンデータを、ノードＳ-ＧＷを経由して無線基地局ｅＮｏｄｅＢに対して転送する。ここで、「Ｄｉｒｅｃｔ  Ｔｕｎｎｅｌ」が用いられていない場合には、無線回線制御局ＲＮＣは、ノードＳ-ＧＷからノードＳＧＳＮを介して無線基地局ｅＮｏｄｅＢに対して転送する。
【０１９８】
ステップＳ４０３３において、無線回線制御局ＲＮＣは、ノードＳＧＳＮに対して、「Ｒｅｌｏｃａｔｉｏｎ  Ｃｏｍｐｌｅｔｅ」を送信する。
【０１９９】
ステップＳ４０３４において、ノードＳＧＳＮは、無線基地局ｅＮｏｄｅＢに対して、「Ｆｏｒｗａｒｄ  Ｒｅｌｏｃａｔｉｏｎ  Ｃｏｍｐｌｅｔｅ」を送信し、ステップＳ４０３５において、無線基地局ｅＮｏｄｅＢは、ノードＳＧＳＮに対して、「Ｆｏｒｗａｒｄ  Ｒｅｌｏｃａｔｉｏｎ  Ｃｏｍｐｌｅｔｅ  Ａｃｋｎｏｗｌｅｄｇｅ」を送信する。
【０２００】
ステップＳ４０３６において、ノードＳＧＳＮは、ノードＳ-ＧＷに対して、「Ｍｏｄｉｆｙ  Ｂｅａｒｅｒ  Ｒｅｑｕｅｓｔ」を送信する。
【０２０１】
ステップＳ４０３７において、ノードＳ-ＧＷは、ノードＰ-ＧＷに対して、「Ｍｏｄｉｆｙ  Ｂｅａｒｅｒ  Ｒｅｑｕｅｓｔ」を送信し、ステップＳ４０３８において、ノードＰ-ＧＷは、ノードＳ-ＧＷに対して、「Ｍｏｄｉｆｙ  Ｂｅａｒｅｒ  Ｒｅｓｐｏｎｓｅ」を送信する。
【０２０２】
ステップＳ４０３９において、ノードＳ-ＧＷは、ノードＳＧＳＮに対して、「Ｍｏｄｉｆｙ  Ｂｅａｒｅｒ  Ｒｅｓｐｏｎｓｅ」を送信する。
【０２０３】
ステップＳ４０４０において、パケット信号が、ノードＰ-ＧＷと移動局ＵＥ＃１との間で、ノードＳ-ＧＷと無線基地局ｅＮｏｄｅＢとを介して送受信されるように切り替えられる。
【０２０４】
ステップＳ４０４１において、移動局ＵＥ＃１とノードＳＧＳＮとの間で、第２通信状態で用いられていたパケット通信用ベアラの開放制御が行われ、ステップＳ４０４２において、移動局ＵＥ＃１とノードＳ-ＧＷとの間で、第２通信状態で用いられていた回線交換通信用ベアラの開放制御が行われる。
【０２０５】
（変更例２）
図２２を参照して、本発明の変更例２に係る移動通信システムについて説明する。以下、本発明の変更例２に係る移動通信システムについて、上述の変更例１に係る移動通信システムとの相違点に着目して説明する。
【０２０６】
図２２に示すように、本変更例２に係る移動通信システムでは、ＶｏＩＰ制御信号及びパケット信号は、ノードＳＧＳＮを経由して送受信されるように構成されている。
【０２０７】
一方、回線交換信号は、ノードＳＧＳＮを経由することなく送受信されるように構成されている。
【０２０８】
（変更例３）
図２３及び図２４を参照して、本発明の変更例３に係る移動通信システムについて説明する。以下、本発明の変更例３に係る移動通信システムについて、上述の第１の実施形態に係る移動通信システムとの相違点に着目して説明する。
【０２０９】
図２３に示すように、本変更例３に係る移動通信システムでは、第２通信状態において、拡張ＭＳＣ/ＭＧＷと、移動局ＵＥ＃１のホームネットワークに配置されているノードＳＣＣ  ＡＳとの間で、移動局ＵＥ＃１の在圏ネットワークに設けられているノードＰＣＳＣＦ及び移動局ＵＥ＃１のホームネットワークに配置されているノードＳ-ＣＳＣＦを介して、ＩＭＳに係る情報を含むＶｏＩＰ制御信号が送受信されるように構成されていてもよい。
【０２１０】
例えば、拡張ＭＳＣ/ＭＧＷは、第１通信状態から第２通信状態に切り替わる場合に、移動局ＵＥ＃１のホームネットワークに配置されているノードＳＣＣ  ＡＳに対して、ＩＭＳに係る情報（例えば、ＭＳ-ＩＳＤＮの情報等）を通知することによって、かかるノードＳＣＣ  ＡＳによって保持されているＩＭＳに係る情報を更新するように構成されていてもよい。
【０２１１】
具体的には、図２４に示すように、第１通信状態から第２通信状態に切り替わる場合に、ステップＳ５００１において、拡張ＭＳＣ/ＭＧＷは、移動局ＵＥ＃１の在圏ネットワークに設けられているノードＰ-ＣＳＣＦを介して、移動局ＵＥ＃１のホームネットワークに配置されているノードＳ-ＣＳＣＦに対して、「ＳＴＮ-ＳＲ」及び「ＳＤＰ-ＭＧＷ」を含む「情報更新用ＳＩＰメッセージ」を送信する。情報更新用ＳＩＰメッセージは、例えば、「ＵＰＤＡＴＥ」或いは「ＲＥ-ＩＮＶＩＴＥ」等である。
【０２１２】
ここで、「ＳＴＮ-ＳＲ」は、第１通信状態から第２通信状態へ切り替え処理であることを示し、「ＳＤＰ-ＭＧＷ」は、ＶｏＩＰメディア情報を示す。
【０２１３】
ステップＳ５００２において、ノードＳ-ＣＳＣＦは、移動局ＵＥ＃１のホームネットワークに配置されているノードＳＣＣ  ＡＳに対して、「ＳＴＮ-ＳＲ」及び「ＳＤＰ-ＭＧＷ」を含む「情報更新用ＳＩＰメッセージ」を送信する。
【０２１４】
ステップＳ５００３において、ノードＳＣＣ  ＡＳは、受信した「情報更新用ＳＩＰメッセージ」に応じて、自身の保持しているＩＭＳに係る情報を更新する。
【０２１５】
また、かかる場合、かかるノードＳＣＣ  ＡＳは、第１通信状態から第２通信状態に切り替わる前に自身が保持していたＩＭＳに係る情報を、拡張ＭＳＣ/ＭＧＷに対して通知するように構成されていてもよい。
【０２１６】
以上に述べた本実施形態の特徴は、以下のように表現されていてもよい。
【０２１７】
本実施形態の第１の特徴は、回線交換通信をサポートしていないＬＴＥ方式（第１通信方式）の無線アクセスシステムと、ＬＴＥ方式の無線アクセスシステムを収容する移動伝達ネットワークと、回線交換通信をサポートしている２Ｇ/３Ｇ方式（第２通信方式）の無線アクセスシステムと、２Ｇ/３Ｇ方式の無線アクセスシステムを収容する２Ｇ/３Ｇ方式のコアネットワークと、ＩＭＳ（サービス制御ネットワーク）とを具備しており、第１通信状態と第２通信状態とを切り替えることができるように構成されている移動通信システムであって、第１通信状態では、移動局ＵＥ＃１（第１移動局）は、ＬＴＥ方式の無線アクセスシステムに在圏しており、移動局ＵＥ＃２（第２移動局）との間で音声通信を行うように構成されており、移動局ＵＥ＃１と移動局ＵＥ＃２との間で、ＶｏＩＰメディア信号が、ＬＴＥ方式の無線アクセスシステム及び移動伝達ネットワーク内の移動局ＵＥ＃１の在圏ネットワークに配置されているノードＳ-ＧＷ（サービングゲートウェイ装置）を介して送受信され、ＶｏＩＰ制御信号が、ＬＴＥ方式の無線アクセスシステムとノードＳ-ＧＷとＩＭＳとを介して送受信されるように構成されており、第２通信状態では、移動局ＵＥ＃１は、２Ｇ/３Ｇ方式の無線アクセスシステムに在圏しており、移動局ＵＥ＃２との間で音声通信を行うように構成されており、回線交換信号が、２Ｇ/３Ｇ方式の無線アクセスシステムを介して移動局ＵＥ＃１と２Ｇ/３Ｇ方式のコアネットワークに配置されている拡張ＭＳＣ/ＭＧＷとの間で送受信され、ＶｏＩＰメディア信号が、ノードＳＧＷを介して拡張ＭＳＣ/ＭＧＷと移動局ＵＥ＃２との間で送受信され、ＶｏＩＰ制御信号が、ノードＳ-ＧＷ及びＩＭＳを介して拡張ＭＳＣ/ＭＧＷと移動局ＵＥ＃２との間で送受信されるように構成されており、拡張ＭＳＣ/ＭＧＷは、回線交換信号と、ＶｏＩＰメディア信号及びＶｏＩＰ制御信号の組み合わせとを変換するように構成されていることを要旨とする。
【０２１８】
本実施形態の第１の特徴において、第２通信状態において、拡張ＭＳＣ/ＭＧＷと、移動局ＵＥ＃１のホームネットワークに配置されているノードＳＣＣ  ＡＳとの間で、ＩＭＳに係る情報を含むＶｏＩＰ制御信号が送受信されるように構成されていてもよい。
【０２１９】
また、本実施形態の第２の特徴は、ＬＴＥ方式の無線アクセスシステムと、移動伝達ネットワークと、２Ｇ/３Ｇ方式の無線アクセスシステムと、２Ｇ/３Ｇ方式方式のコアネットワークと、ＩＭＳとを具備しており、第１通信状態と第２通信状態とを切り替えることができるように構成されている移動通信システムであって、第１通信状態では、移動局ＵＥ＃１は、ＬＴＥ方式の無線アクセスシステムに在圏しており、移動局ＵＥ＃２との間で音声通信を行うように構成されており、移動局ＵＥ＃１と移動局ＵＥ＃２との間で、ＶｏＩＰメディア信号が、ＬＴＥ方式の無線アクセスシステムとノードＳ-ＧＷとを介して送受信され、ＶｏＩＰ制御信号が、ＬＴＥ方式の無線アクセスシステムとノードＳ-ＧＷとＩＭＳとを介して送受信されるように構成されており、第２通信状態では、移動局ＵＥ＃１は、２Ｇ/３Ｇ方式の無線アクセスシステムに在圏しており、移動局ＵＥ＃２との間で音声通信を行うように構成されており、回線交換信号が、２Ｇ/３Ｇ方式方式の無線アクセスシステムを介して移動局ＵＥ＃１とノードＳ-ＧＷとの間で送受信され、ＶｏＩＰメディア信号が、ノードＳ-ＧＷと移動局ＵＥ＃２との間で送受信され、ＶｏＩＰ制御信号が、２Ｇ/３Ｇ方式の無線アクセスシステムと該ノードＳ-ＧＷとＩＭＳとを介して移動局ＵＥ＃１と移動局ＵＥ＃２との間で送受信されるように構成されており、ノードＳ-ＧＷは、回線交換信号とＶｏＩＰメディア信号とを変換するように構成されていることを要旨とする。
【０２２０】
本実施形態の第２の特徴において、第２通信状態において、ＶｏＩＰ制御信号は、２Ｇ/３Ｇ方式の無線アクセスシステムと２Ｇ/３Ｇ方式のコアネットワークに配置されているノードＳＧＳＮ（パケット交換局）とノードＳ-ＧＷとＩＭＳとを介して移動局ＵＥ＃１と移動局ＵＥ＃２との間で送受信されるように構成されていてもよい。
【０２２１】
なお、上述のＭＭＥ、ＳＧＷ、ＰＧＷ、Ｐ-ＣＳＣＦ、Ｓ-ＣＳＣＦ、ＳＣＣ  ＡＳ、Ｓ/Ｐ-ＣＳＣＦ、ｅＮｏｄｅＢ、ＳＧＳＮ、ＭＳＣ、ＵＥの動作は、ハードウェアによって実施されてもよいし、プロセッサによって実行されるソフトウェアモジュールによって実施されてもよいし、両者の組み合わせによって実施されてもよい。
【０２２２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２２３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＭＥ、ＳＧＷ、ＰＧＷ、Ｐ-ＣＳＣＦ、Ｓ-ＣＳＣＦ、ＳＣＣ  ＡＳ、Ｓ/Ｐ-ＣＳＣＦ、ｅＮｏｄｅＢ、ＳＧＳＮ、ＭＳＣ、ＵＥ内に設けられていてもよい。また、かかる記憶媒体及びプロセッサは、ディスクリートコンポーネントとしてＭＭＥ、ＳＧＷ、ＰＧＷ、Ｐ-ＣＳＣＦ、Ｓ-ＣＳＣＦ、ＳＣＣ  ＡＳ、Ｓ/Ｐ-ＣＳＣＦ、ｅＮｏｄｅＢ、ＳＧＳＮ、ＭＳＣ、ＵＥ内に設けられていてもよい。
【０２２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２２５】
ＵＥ…移動局
ｅＮｏｄｅＢ…無線基地局
ＲＮＣ…無線回線制御局
ＳＧＳＮ…パケット交換局
ＭＳＣ…回線交換局
ＭＭＥ、ＳＧＷ、ＰＧＷ、Ｐ-ＣＳＣＦ、Ｓ-ＣＳＣＦ、ＳＣＣ  ＡＳ、Ｓ/Ｐ-ＣＳＣＦ…
ノード
【図１】
2011061858.tif 000003
【図２】
2011061858.tif 000004
【図３】
2011061858.tif 000005
【図４】
2011061858.tif 000006
【図５】
2011061858.tif 000007
【図６】
2011061858.tif 000008
【図７】
2011061858.tif 000009
【図８】
2011061858.tif 000010
【図９】
2011061858.tif 000011
【図１０】
2011061858.tif 000012
【図１１】
2011061858.tif 000013
【図１２】
2011061858.tif 000014
【図１３】
2011061858.tif 000015
【図１４】
2011061858.tif 000016
【図１５】
2011061858.tif 000017
【図１６】
2011061858.tif 000018
【図１７】
2011061858.tif 000019
【図１８】
2011061858.tif 000020
【図１９】
2011061858.tif 000021
【図２０】
2011061858.tif 000022
【図２１】
2011061858.tif 000023
【図２２】
2011061858.tif 000024
【図２３】
2011061858.tif 000025
【図２４】
2011061858.tif 000026
【図２５】
2011061858.tif 000027
【図２６】
2011061858.tif 000028
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
回線交換通信をサポートしていない第１通信方式の無線アクセスシステムと、回線交換通信をサポートしている第２通信方式の無線アクセスシステムと、サービス制御ネットワークとを具備しており、第１通信状態と第２通信状態とを切り替えることができるように構成されている移動通信システムであって、
前記第１通信状態では、第１移動局は、前記第１通信方式の無線アクセスシステムに在圏しており、第２移動局との間で音声通信を行うように構成されており、
前記第２通信状態では、前記第１移動局は、前記第２通信方式の無線アクセスシステムに在圏しており、前記第２移動局との間で音声通信を行うように構成されており、
前記第１移動局の在圏ネットワーク内で、前記第1通信状態におけるＶｏＩＰメディア信号及びＶｏＩＰ制御信号の経路と、前記第２通信状態における回線交換信号、ＶｏＩＰメディア信号及びＶｏＩＰ制御信号の経路とを切り替えるように構成されていることを特徴とする移動通信システム。
【請求項２】
前記第１移動局の在圏ネットワーク内で、前記第２通信状態における前記回線交換信号と、前記第２通信状態における前記ＶｏＩＰメディア信号及び前記ＶｏＩＰ制御信号の組み合わせとを変換するように構成されていることを特徴とする請求項１に記載の移動通信システム。